(57)【要約】【課題】本体から便座を完全に分離することができるとともに、本体と便座を枢支部で結合したときに電気的に安定した接続状態が得られるようにする。【解決手段】本体１に枢支部３を介して回動自在に装着された便座３に加熱手段を内蔵させ、本体１内に配設された制御部と加熱手段を接続した暖房便座において、枢支部３に、その回転軸心と同心状でかつ外周面又は端面に接続電極１４、１５が設けられた軸部１２と、軸部１２が挿入される有底円筒状で、軸部１２の接続電極１４、１５に弾性的に接触する弾性接続片１７、１８を装着された筒状部１３とから成る接触通電接続部１１を設け、便座２を枢支部３の軸芯方向に移動させて枢支部３の着脱動作を行うと、それによって接触通電接続部１１の接続・切断が行われるようにした。【選択図】      図１
2004261347.tif 000002
【特許請求の範囲】
【請求項１】
本体に枢支部を介して回動自在に装着された便座に加熱手段を内蔵させ、本体内に配設された制御部と加熱手段を接続した暖房便座において、枢支部に、その回転軸心と同心状の接触通電接続部を設けたことを特徴とする暖房便座。
【請求項２】
接触通電接続部は、外周面又は端面又はその両方に接続電極が設けられた軸部と、軸部が挿入される有底円筒状で、軸部の接続電極に弾性的に接触する接続部材を装着された筒状部とを備えていることを特徴とする請求項１記載の暖房便座。
【請求項３】
軸部の端面と外周に接続電極を設け、筒状部には、周壁から径方向内側に延出された径方向弾性接続片と、底壁の軸芯部に軸芯方向に弾性変位可能に設けられた軸方向弾性接続片とを設けたことを特徴とする請求項２記載の暖房便座。
【請求項４】
軸部の外周の軸芯方向の複数箇所に外周接続電極を設け、筒状部には、周壁から径方向内側に延出された径方向弾性接続片を軸芯方向の複数箇所に設けたことを特徴とする請求項２記載の暖房便座。
【請求項５】
軸部の外周の周方向の複数箇所に周方向接続電極を設け、筒状部には、周壁から径方向内側に延出された径方向弾性接続片を周方向の複数箇所に設けたことを特徴とする請求項２記載の暖房便座。
【請求項６】
軸部の端面の径方向位置の異なる複数箇所に端面接続電極を設け、筒状部には、端面接続電極に当接して軸芯方向に弾性変位可能な複数の可動接続部材を設けたことを特徴とする請求項２記載の暖房便座。
【請求項７】
軸部の接続電極間に、溝又は突条から成る分離手段を設けたことを特徴とする請求項３〜６の何れかに記載の暖房便座。
【請求項８】
軸部を移動可能に配設するとともに、枢支部の結合状態で軸部を筒状部内に挿入した位置に移動させる手段を設けたことを特徴とする請求項２〜７の何れかに記載の暖房便座。
【発明の詳細な説明】
【０００１】
【発明の属する技術分野】
本発明は、便座に加熱手段を内蔵した暖房便座に関するものである。
【０００２】
【従来の技術】
温水洗浄暖房便座装置や暖房便座装置の暖房便座においては、図８に示すように、便器本体の後部に装着固定される本体１に対して便座２が枢支部３を介して回動自在に装着されるとともに、本体１内の制御部４と便座２に内蔵された加熱手段５とが電気コードによって接続されている。
【０００３】
ところで、本体と便座が電気コードによって固定的に接続されたものでは、便座の掃除ができるように枢支部で便座を取り外せるように構成されていても、電気コードで繋がっているため便座の自由度が限られ、例えば便座をトイレ室外に持ち出して洗ったりすることができず、十分に清浄にすることができないという問題があった。
【０００４】
そこで、便座２を枢支部３で本体１から取り外すことができるように構成するとともに、図９に示すように、便座２から延出された電気コード６の先端部にコネクタ７を設け、本体１に設けられた差し込み穴に対して着脱自在に接続できるようにし、便座２を本体１から完全に分離して容易に掃除できるようにしたものも提案されている（例えば、特許文献１参照。）。なお、図９において、８は便器本体、９は便蓋である。
【０００５】
【特許文献１】
特開平７−１０００８３号公報
【０００６】
【発明が解決しようとする課題】
しかしながら、電気コード６の先端にコネクタ７を設けて着脱可能とした場合でも、便座２に電気コード６が接続されているため、掃除時に先端のコネクタ７を便器本体８などにぶつけたり、掃除中にコネクタ７を水に水没させてしまう場合があるなど、掃除時に気遣いしなければならないために掃除に煩わしさを感じ、そのため掃除が怠られて不衛生になり易いという問題があった。
【０００７】
そこで、図１０に示すように、便座２の枢支部３の軸部５０の端面５０ａから複数本の電極棒５１を突出させ、本体１側に設けた接続ケース５２内に、各電極棒５１を挿入可能なガイド穴５４とその奥に電極棒５１の先端が接触する接続電極５５を有する接続部材５３を回転可能に収容したものも考えられたが、枢支部３の結合時に軸部５０と接続部材５３の回転方向の位置合わせが必要であり、便座２の他側の枢支部（図示せず）でも便座２の回動制御機構又は開閉駆動機構（図示せず）に対して着脱するために位置合わせが必要であることと合わせて、便座２の両側で位置合わせが必要となるため組付作業性が悪く、また便座２の回動に伴う軸部５０の僅かな位置ぶれによっても、複数本の電極棒５１の何れかと接続電極５５との接触不良が発生し易く、接続状態が安定しないという問題がある。
【０００８】
本発明は、上記従来の問題点に鑑み、本体から便座を完全に分離することができるとともに、本体と便座を枢支部で結合したときに電気的に安定した接続状態が得られる暖房便座を提供することを目的とする。
【０００９】
【課題を解決するための手段】
本発明の暖房便座は、本体に枢支部を介して回動自在に装着された便座に加熱手段を内蔵させ、本体内に配設された制御部と加熱手段を接続した暖房便座において、枢支部に、その回転軸心と同心状の接触通電接続部を設けたものであり、便座を枢支部の軸芯方向に移動させて枢支部の着脱動作を行うと、それによって接触通電接続部の接続・切断が行われるので、本体から便座を完全に分離することができるとともに組付性も極めて良く、かつ接触通電接続部が枢支部と同心状であることで本体と便座を枢支部で結合したときに電気的に安定した接続状態を得ることができる。
【００１０】
また、接触通電接続部を、外周面又は端面又はその両方に接続電極が設けられた軸部と、軸部が挿入される有底円筒状で、軸部の接続電極に弾性的に接触する接続部材を装着された筒状部とを備えた構成とすると、軸部を筒状部に挿入すると接続電極に接続部材が弾性的に接触することで安定した接続状態を確保でき、また軸部を便座側に設けると、便座の枢支部においても軸部が突出しただけの単純な外面形状でかつ完全に密封された構成とすることができるので、便座全体を容易に洗浄することができる。
【００１１】
具体的には、軸部の端面と外周に接続電極を設け、筒状部には、周壁から径方向内側に延出された径方向弾性接続片と、底壁の軸芯部に軸芯方向に弾性変位可能に設けられた軸方向弾性接続片とを設けた構成とするのが好適である。
【００１２】
また、軸部の外周の軸芯方向の複数箇所に外周接続電極を設け、筒状部には、周壁から径方向内側に延出された径方向弾性接続片を軸芯方向の複数箇所に設けた構成とすることもできる。
【００１３】
また、軸部の外周の周方向の複数箇所に周方向接続電極を設け、筒状部には、周壁から径方向内側に延出された径方向弾性接続片を周方向の複数箇所に設けた構成とすることもできる。
【００１４】
また、軸部の端面の径方向位置の異なる複数箇所に端面接続電極を設け、筒状部には、端面接続電極に当接して軸芯方向に弾性変位可能な複数の可動接続部材を設けた構成とすることもできる。
【００１５】
また、上記軸部の同一面に複数の接続電極を設ける場合に、接続電極間に溝又は突条から成る分離手段を設けると、接続電極間の短絡を確実に防止できて好適である。
【００１６】
また、以上の構成において、軸部を移動可能に配設するとともに、枢支部の結合状態で軸部を筒状部内に挿入した位置に移動させる手段を設けると、軸部を退入させた状態で枢支部で結合した後、軸部を筒状部内に挿入することで、容易に枢支部の結合と電気的接続を行うことができる。
【００１７】
【発明の実施の形態】
（第１の実施形態）
以下、本発明の暖房便座の第１の実施形態について、図１〜図３を参照して説明する。なお、暖房便座の全体概略構成は図８を参照して説明したものと同一であり、その説明を援用し、以下の説明では本発明の要部である便座２の枢支部３における電気的接続構成について説明する。
【００１８】
図１において、便座２の一側の枢支部３における枢支軸１０の先端部に、枢支軸１０の回転軸心と同心状の接触通電接続部１１が配設されている。この接触通電接続部１１は、枢支軸１０の先端部に一体的に設けられた軸部１２と、軸部１２が挿入されるように本体１に装着固定された有底円筒状の筒状部１３にて構成されている。本体１の内面には、枢支軸１０が嵌合する軸受穴１０ａの直径方向外側の２箇所に取付ボス１ａが突設され、筒状部１３の外周に突設された取付部１３ａが取付ボス１ａに嵌合されて取付ねじ１ｂにて締結固定されている。
【００１９】
軸部１２には、外周面の外周接続電極１４と端面中央部の端面接続電極１５とが設けられ、これらがリード線１６を介して加熱手段５に接続されている。筒状部１３には、周壁から径方向内側に延出されて外周接続電極１４に弾性的に接触する一対の径方向弾性接続片１７と、底壁１３ｂの軸芯位置に配置されかつ軸芯方向に弾性変位可能な軸方向弾性接続片１８とが設けられ、これらがリード線１９を介して制御部４に接続されている。一対の径方向弾性接続片１７は連結片１７ａにて相互に接続されている。軸方向弾性接続片１８は、本体１の軸受穴１０ａを封口可能に軸芯方向に移動可能に筒状部１３内に配設された封口部材２０の軸芯部に設けられた接続端子２１を介して端面接続電極１５に弾性的に接触するように構成されている。
【００２０】
封口部材２０は、筒状部１３の底壁１３ｂから内側に向けて突設されたガイド筒２２の外周に摺動自在に嵌合された摺動筒部２３とその一端に連接された皿状の封口部２４にて構成されている。封口部２４と底壁１３ｂとの間に圧縮ばね２５が介装され、図３に示すように、軸部１２を先端に有する枢支軸１０を抜き出した時に、封口部２４を軸受穴１０ａに圧接嵌合して軸受穴１０ａを密封するように構成されている。なお、この状態で径方向弾性接続片１７は封口部２４にて径方向外方に押圧されて退避し、封口部２４による密封動作を阻害することはない。
【００２１】
一方、枢支軸１０を軸受穴１０ａに挿入して枢支部３を結合すると、封口部材２０が軸部１２の先端で押されて圧縮ばね２５の付勢力に抗して退入移動し、その状態で、図１に示すように、封口部２４は径方向弾性接続片１７と干渉しない位置に移動して、外周接続電極１４と径方向弾性接続片１７が接触接続され、かつ端面接続電極１５と軸方向弾性接続片１８が封口部２４の軸芯部に設けられた接続端子２１を介して接触接続される。
【００２２】
また、封口部材２０が退入移動した状態で、筒状部１３の周壁の適所に配設されたマイクロスイッチ２６が摺動筒部２３にて作動され、制御部４と加熱手段５の間の回路が閉成されるように構成されている。
【００２３】
また、軸部１２の先端部外周に配設されたＯリング２７が封口部２４の先端部内周に圧接して外周接続電極１４の配置空間と端面接続電極１５の配置空間を完全に遮断させて万一水などが侵入しても短絡する恐れがないように構成されている。
【００２４】
以上の構成によれば、本体１と便座２を枢支部３で結合するため、枢支軸１０を軸受穴１０ａに挿入嵌合すると、その先端の軸部１２が筒状部１３内に挿入され、図１に示すように、外周接続電極１４に径方向弾性接続片１７が弾性的に接触し、また端面接続電極１５に封口部材２０の接続端子２１を介して軸方向弾性接続片１８が弾性的に接触することで安定した接続状態が確保され、さらにマイクロスイッチ２６が作動することで、本体１の制御部４と便座２の加熱手段５が接続され、便座２の加熱制御が行われる。
【００２５】
一方、枢支軸１０を軸受穴１０ａから抜き出すと、図３に示すように、軸部１２も筒状部１３から離脱するとともに、封口部材２０が圧縮ばね２５の付勢力にて突出移動し、その封口部２４にて軸受穴１０ａが封口されるとともにマイクロスイッチ２６が開成される。
【００２６】
また、便座２側の枢支部３は、先端に軸部１２を有する枢支軸１０が突出しているだけの単純な外面形状であるとともに完全に密封された構成となっているので、便座２全体を容易に洗浄することができる。
【００２７】
かくして、便座２を枢支部３の軸芯方向に移動させて枢支部３の着脱動作を行うことで接触通電接続部１１の接続・切断が行われるので、本体１から便座２を完全に分離することができるとともに組付性も極めて良く、かつ接触通電接続部１１が枢支部３と同心状であることで本体１と便座２を枢支部３で結合したときに電気的に安定した接続状態を得ることができる。
【００２８】
また、便座２を取り外した状態で、本体１側の軸受穴１０ａが封口部材２０にて封口されるので、掃除作業時に万一にも水などが本体１内に侵入するのを確実に防止することができる。また、その状態でマイクロスイッチ２６が開成されるので、万一電源を切り忘れて作業を行い、軸受穴１０ａ内にドライバーなどを挿入し、径方向弾性接続片１７と接続端子２１と接触し、その接続端子２１が軸方向弾性接続片１８に接触してしまった場合でも、短絡が発生するのを確実に防止でき、安全に作業を行うことができる。
【００２９】
（第２の実施形態）
次に、本発明の暖房便座の第２の実施形態について、図４を参照して説明する。なお、以下の実施形態の説明において、先行する実施形態と実質的に同一の構成要素については同一の参照符号を付して説明を省略し、主として相違点についてのみ説明する。
【００３０】
本実施形態においては、軸部１２の外周面に軸芯方向に並列して複数の外周接続電極１４ａ、１４ｂを設けるとともに、それらの間に電極１４ａ、１４ｂを分離して相互の絶縁を確保する突条２８または凹溝が設けられている。筒状部１３には、これら複数の外周接続電極１４ａ、１４ｂに対応して周壁から径方向内側に延出された複数対の径方向弾性接続片１７ａ、１７ｂが設けられ、また封口部材２０の封口部２４に、軸部１２の先端で押圧されて封口部材２０が退入移動された時に径方向弾性接続片１７ｂが貫通して外周接続電極１４ｂに接触する貫通窓２９が形成されている。このような構成によっても上記実施形態と同様の作用効果が得られる。
【００３１】
（第３の実施形態）
次に、本発明の暖房便座の第３の実施形態について、図５を参照して説明する。
【００３２】
本実施形態においては、軸部１２の先端部外周に、周方向に複数の周方向接続電極３１ａ、３１ｂが設けられ、筒状部１３には、周壁から径方向内側に複数の径方向弾性接続片３２ａ、３２ｂが延出されている。また、筒状部１３の内側には軸受穴１０ａ側からガイド筒３３が延出され、このガイド筒３３の内周に、開口部が軸受穴１０ａの内周に嵌合可能でかつ奥部に軸部１２の先端が嵌合可能なラッパ状の封口部材３４が軸芯方向に摺動自在に嵌合されている。封口部材３４と筒状部１３の底壁１３ｂとの間には圧縮ばね３５が介装され、封口部材３４が開口側に向けて突出付勢されている。ガイド筒３３及び封口部材３４には、封口部材３４が軸部１２の先端で押されて退入した状態で径方向弾性接続片３２ａ、３２ｂが貫通する開口が形成され、かつこれらの開口は封口部材３４が圧縮ばね３５にて突出移動した状態で相互に閉じられるように構成されている。さらに、封口部材３４の底部に、封口部材３４が退入位置に移動したときに筒状部１３の底壁１３ｂを貫通して突出する突起３６が突設され、筒状部１３の底壁外面に突起３６が突出したときに閉成するマイクロイッチ２６が配設されている。
【００３３】
このような構成によっても上記実施形態と同様の作用効果が得られる。なお、便座２の回動角度は通常１２０°程度であるため、３６０°の角度範囲に複数の周方向接続電極３１ａ、３１ｂと複数の径方向弾性接続片３２ａ、３２ｂを配設してそれぞれ各別に接続状態を保持することができる。
【００３４】
（第４の実施形態）
次に、本発明の暖房便座の第４の実施形態について、図６を参照して説明する。
【００３５】
本実施形態においては、軸部１２の端面の径方向に異なる位置に複数の端面接続電極３７ａ、３７ｂが設けられている。これら端面接続電極３７ａ、３７ｂは軸芯方向の位置を相互に異ならせて同一平面に存在しないようにするとともにそれらの間に凹溝３８を形成して相互の短絡が生じないように構成されている。筒状部１３内には可動封口接続部材３９ｂが摺動自在に嵌合されるとともにその内周に可動封口接続部材３９ａが摺動自在に嵌合配置され、かつこれら可動封口接続部材３９ａ、３９ｂにそれぞれに端面接続電極３７ａ、３７ｂと接触して電気的に接続される接続電極４０ａ、４０ｂが設けられている。また、可動封口接続部材３９ａ、３９ｂと筒状部１３の底壁１３ｂとの間にそれぞれ圧縮ばね４１ａ、４１ｂが介装され、軸部１２が挿入されない状態で、軸受穴１０ａがこれら可動封口接続部材３９ａ、３９ｂにて封口され、かつ軸部１２が挿入された時に端面接続電極３７ａ、３７ｂと接続電極４０ａ、４０ｂが圧接状態で接触して電気的に接続されるように構成されている。
【００３６】
このような構成によっても上記実施形態と同様の作用効果が得られる。
【００３７】
（第５の実施形態）
次に、本発明の暖房便座の第５の実施形態について、図７を参照して説明する。
【００３８】
上記各実施形態では、便座２における枢支部３の軸部１２が固定されているものを示したが、本実施形態においては、軸部１２を移動可能に配設するとともに、枢支部３の結合状態で軸部１２を筒状部内に挿入した位置に移動させる手段を設けたものである。
【００３９】
図７に示した具体例は、図５を参照して説明した第３の実施形態における軸部１２の後端鍔部４２と段突き中空軸から成る枢支軸１０の内周段部４３との間に、軸部１２を便座２内に退入した位置に移動付勢する圧縮ばね４４を介装し、かつ便座２の外側部に開口した操作開口４５に、圧縮ばね４４の付勢力に抗して軸部１２を突出移動させる移動操作具４６を着脱可能に装着するように構成されている。
【００４０】
本実施形態の構成によれば、移動操作具４６を取り外して軸部１２を退入させた状態で枢支部３を結合した後、移動操作具４６を装着して軸部１２を筒状部１３内に挿入することで、枢支部３の結合と本体１側の制御部４と便座２側の加熱手段５の電気的接続を容易に行うことができる。
【００４１】
さらに、本発明は以上の実施形態に示した構成に限らず、軸部１２の内周の軸芯方向の複数箇所に接続電極を設けたり、軸部１２の内周の周方向の複数箇所に接続電極を設けたり、軸部１２の端面と内周に接続電極を設けたり、軸部の端面の周方向複数箇所に接続電極を設けた構成とすることもできる。
【００４２】
【発明の効果】
本発明の暖房便座によれば、便座を回動自在にかつ着脱可能に支持する枢支部に、その回転軸心と同心状の接触通電接続部を設けたので、本体から便座を完全に分離することができるとともに組付性も極めて良く、かつ接触通電接続部が枢支部と同心状であることで本体と便座を枢支部で結合したときに電気的に安定した接続状態を得ることができる。
【図面の簡単な説明】
【図１】本発明の第１の実施形態の暖房便座の要部構成を示す断面平面図である。
【図２】同実施形態の筒状部を図１のＡ−Ａ矢視方向から見た側面図である。
【図３】同実施形態において、便座分離時の要部構成を示す断面平面図である。
【図４】本発明の第２の実施形態の暖房便座の要部構成を示し、（ａ）は断面平面図、（ｂ）は便座分離時の筒状部の断面平面図である。
【図５】本発明の第３の実施形態の暖房便座の要部構成を示し、（ａ）は断面平面図と軸部端面近傍のＢ−Ｂ矢視図、（ｂ）は便座分離時の断面平面図である。
【図６】本発明の第４の実施形態の暖房便座の要部構成を示し、（ａ）は断面平面図、（ｂ）は便座分離時の筒状部の断面平面図である。
【図７】本発明の第５の実施形態の暖房便座の要部構成を示す断面平面図とその軸部端面近傍のＣ−Ｃ矢視図である。
【図８】暖房便座の概略構成図である。
【図９】従来例の暖房便座の正面図である。
【図１０】本発明の前段階における暖房便座の要部構成を示す断面平面図である。
【符号の説明】
１  本体
２  便座
３  枢支部
４  制御部
５  加熱手段
１１  接触通電接続部
１２  軸部
１３  筒状部
１４、１４ａ、１４ｂ  外周接続電極
１５  端面接続電極
１７、１７ａ、１７ｂ  径方向弾性接続片
１８  軸方向弾性接続片
２８  突条
３１ａ、３１ｂ  周方向接続電極
３２ａ、３２ｂ  径方向弾性接続片
３７ａ、３７ｂ  端面接続電極
３８  凹溝
３９ａ、３９ｂ  可動封口接続部材
４６  移動操作具
【図１】
2004261347.tif 000003
【図２】
2004261347.tif 000004
【図３】
2004261347.tif 000005
【図４】
2004261347.tif 000006
【図５】
2004261347.tif 000007
【図６】
2004261347.tif 000008
【図７】
2004261347.tif 000009
【図８】
2004261347.tif 000010
【図９】
2004261347.tif 000011
【図１０】
2004261347.tif 000012